(57)【要約】【課題】ゴルフのクラブを振ったり野球のバッティングと同様に棒状の部材を逆手で握った状態で手首の筋力を強化することができるようにした手首の筋力増強具を提供する。【解決手段】第１の握り棒２と第２の握り棒３とを直状に連結すると共に夫々の握り棒２、３の軸芯に設けられた貫通孔４、４に長尺の連結棒５を挿通して該連結棒の両端で両方の握り棒を回動自在に保持し、該両方の握り棒の内部に互いに連通するように形成された空洞部６、６において連結棒５の周りに一対の当接部材７、７と互いに巻き方向の異なる一対の巻きバネ２４、８とが収納され、両方の当接部材は夫々の当接部材の片側に形成された傾斜面で当接されると共に、両方の当接部材を挟んで夫々の当接部材に夫々の一端を固設した巻きバネの他端を夫々の握り棒の空洞部の内端に固設したことにより、夫々の握り棒を左右夫々の手で握り、互いに異なる方向へ捩じるようにしたものである。【選択図】図５
2007050228.tif 000002
【特許請求の範囲】
【請求項１】
第１の握り棒と第２の握り棒とを直状に連結すると共に夫々の握り棒の軸芯に設けられた貫通孔に長尺の連結棒を挿通して該連結棒の両端で両方の握り棒を回動自在に保持し、該両方の握り棒の内部に互いに連通するように形成された空洞部において前記連結棒の周りに一対の当接部材と互いに巻き方向の異なる一対の巻きバネとが収納され、前記両方の当接部材は夫々の当接部材の片側に形成された傾斜面で当接されると共に、両方の当接部材を挟んで夫々の当接部材に夫々の一端を固設した巻きバネの他端を前記夫々の握り棒の空洞部の内端に固設したことにより、夫々の握り棒を左右夫々の手で握り、互いに異なる方向へ捩じることによって、前記両方の当接部材が夫々の傾斜面に沿って捩じれ、双方の傾斜面による山が互いに当接する位置を変えながら移動し、双方の傾斜面による山を越した時点で互いのバネ力によって元の状態に復帰して、再び双方の傾斜面が合致した状態となり、このような動作を繰り返して回動することにより、手首の筋力を強化するようにしたことを特徴とする手首の筋力増強具。
【請求項２】
前記一方の巻きバネの一端を前記一方の握り棒の空洞部の内端に設けられた挿通孔に挿着すると共に、該挿通孔に対して前記一方の握り棒の外側端部からネジ棒を螺入又は緩めることにより、前記両方の巻きバネのバネ力を調整するようにしたことを特徴とする請求項１記載の手首の筋力増強具。
【請求項３】
第１の握り棒と第２の握り棒とを直状に連結すると共に夫々の握り棒の軸芯に設けられた貫通孔に長尺の連結棒を挿通して該連結棒の両端で両方の握り棒を回動自在に保持し、該両方の握り棒の内部に互いに連通するように形成された空洞部にて前記連結棒の周りに１本の巻きバネを挿通すると共に、該巻きバネの両端部が前記夫々の握り棒の空洞部の内端に固定されて成り、夫々の握り棒を左右夫々の手で握って前記巻きバネの弾性力に抗して互いに異なる方向へ捩じるようにしたことを特徴とする手首の筋力増強具。
【請求項４】
第１の握り棒と第２の握り棒とを直状に突合せると共に、双方の握り棒の突合せ端部が嵌合形状によって互いに回動自在に連結され、双方の握り棒の内部に連続して形成された空洞部に１本の巻きバネが収納され、該巻きバネの両端部が前記夫々の握り棒の空洞部の内端に固定されて成り、夫々の握り棒を左右夫々の手で握って前記巻きバネの弾性力に抗して互いに異なる方向へ捩じるようにしたことを特徴とする手首の筋力増強具。
【請求項５】
前記巻きバネの両端部の夫々が係止具を介して第１の握り棒と第２の握り棒とに固定されると共に、夫々の握り棒の端部に螺入されたボルトの押し圧によって前記巻きバネの張力を調整可能としたことを特徴とする請求項４記載の手首の筋力増強具。
【発明の詳細な説明】
【技術分野】
【０００１】
本発明は、例えばゴルフのクラブを振ったり野球のバッティングと同様に棒状の部材を逆手で握った状態で手首の筋力を強化することができるようにした手首の筋力増強具に関する。
【背景技術】
【０００２】
従来、腕の力を鍛える運動具としては、ダンベル等が周知であるが、例えばゴルフのクラブや野球のバットを握って振る動作のように、手首を捩じるように動かす筋力を強化するものではなかった。
【０００３】
そこでこの種の筋力を強化するための運動具として、引用文献１の手首鍛練装置３０について説明する。この装置は、図１１に示すように、一対の圧縮ばね３１ａ、３１ｂを内蔵する中空シャフト３２を有し、該中空シャフト３２の両端で該シャフト３２に非回転に取り付けられ、それぞれ圧縮ばね３１ａ、３１ｂの一方に接して配置された内側テンションディスク３３ａ、３３ｂと、これらの内側テンションディスク３３ａ、３３ｂのそれぞれの外側にこれと共に回転するように取り付けられた外側テンションディスク３４ａ、３４ｂを有し、片側の外側テンションディスク３４ａに設けられたテンションノブ３５をいずれか一方に回動することにより、ねじ棒３３が回転して外側テンションディスク３４ａを反対側のテンションディスク３４ｂに対して接近又は離反する方向に引き寄せる。
【０００４】
また、装置３０の両端の内側のテンションディスク３３ａ、３３ｂと外側のテンションディスク３４ａ、３４ｂとの間に夫々のハンドル３８ａ、３８ｂを介して着座した抵抗パッド３６、３７にサンドイッチ効果が生じ、両側のハンドル３８ａ、３８ｂを使用者が握って回した際に、抵抗パッド３６、３７によってもたらされる抵抗が増加することによって、手首の筋力を強化するものである。
【特許文献１】特開平７−５６０号公報
【発明の開示】
【発明が解決しようとする課題】
【０００５】
ところで、上記の装置は、手首の筋力を強化するために、両側のハンドル３８ａ、３８ｂを左右の手で握って、抵抗パッド３６、３７によってもたらされる抵抗力に抗して回転運動を行うようにしたものである。
【０００６】
ところが、上記の特許文献１の装置においては、ハンドル３８ａ、３８ｂを握って回転する動作が、ゴルフのクラブや野球のバットを握る実際の動作とは異なっており、ゴルフのクラブを振ったり、野球のバッティングを行ったりするという実践さながらの動作で手首の筋力を鍛えることは不可能であった。
【０００７】
本発明は、上記の事情に鑑みてなされたもので、ゴルフのクラブを振ったり野球のバッティングと同様に棒状の部材を逆手で握った状態で手首の筋力を強化することができるようにした手首の筋力増強具を提供することを目的とする。
【課題を解決するための手段】
【０００８】
上記の目的を達成するために、本発明の請求項１の手首の筋力増強具は、第１の握り棒と第２の握り棒とを直状に連結すると共に夫々の握り棒の軸芯に設けられた貫通孔に長尺の連結棒を挿通して該連結棒の両端で両方の握り棒を回動自在に保持し、該両方の握り棒の内部に互いに連通するように形成された空洞部において前記連結棒の周りに一対の当接部材と互いに巻き方向の異なる一対の巻きバネとが収納され、前記両方の当接部材は夫々の当接部材の片側に形成された傾斜面で当接されると共に、両方の当接部材を挟んで夫々の当接部材に夫々の一端を固設した巻きバネの他端を前記夫々の握り棒の空洞部の内端に固設したことにより、夫々の握り棒を左右夫々の手で握り、互いに異なる方向へ捩じることによって、前記両方の当接部材が夫々の傾斜面に沿って捩じれ、双方の傾斜面による山が互いに当接する位置を変えながら移動し、双方の傾斜面による山を越した時点で互いのバネ力によって元の状態に復帰して、再び双方の傾斜面が合致した状態となり、このような動作を繰り返して回動することにより、手首の筋力を強化するようにしたことを特徴とする。
【０００９】
また、本発明の請求項２の手首の筋力増強具は、請求項１において、前記一方の巻きバネの一端を前記一方の握り棒の空洞部の内端に設けられた挿通孔に挿着すると共に、該挿通孔に対して前記一方の握り棒の外側端部からネジ棒を螺入又は緩めることにより、前記両方の巻きバネのバネ力を調整するようにしたことを特徴とする。
【００１０】
また、本発明の請求項３の手首の筋力増強具は、第１の握り棒と第２の握り棒とを直状に連結すると共に夫々の握り棒の軸芯に設けられた貫通孔に長尺の連結棒を挿通して該連結棒の両端で両方の握り棒を回動自在に保持し、該両方の握り棒の内部に互いに連通するように形成された空洞部にて前記連結棒の周りに１本の巻きバネを挿通すると共に、該巻きバネの両端部が前記夫々の握り棒の空洞部の内端に固定されて成り、夫々の握り棒を左右夫々の手で握って前記巻きバネの弾性力に抗して互いに異なる方向へ捩じるようにしたことを特徴とする。
【００１１】
また、本発明の請求項４の手首の筋力増強具は、第１の握り棒と第２の握り棒とを直状に突合せると共に、双方の握り棒の突合せ端部が嵌合形状によって互いに回動自在に連結され、双方の握り棒の内部に連続して形成された空洞部に１本の巻きバネが収納され、該巻きバネの両端部が前記夫々の握り棒の空洞部の内端に固定されて成り、夫々の握り棒を左右夫々の手で握って前記巻きバネの弾性力に抗して互いに異なる方向へ捩じるようにしたことを特徴とする。
【００１２】
さらに、本発明の請求項５の手首の筋力増強具は、請求項４において、前記巻きバネの両端部の夫々が係止具を介して第１の握り棒と第２の握り棒とに固定されると共に、夫々の握り棒の端部に螺入されたボルトの押し圧によって前記巻きバネの張力を調整可能としたことを特徴とする。
【発明の効果】
【００１３】
本発明の手首の筋力増強具は、直状に連結された第１の握り棒と第２の握り棒とを左右夫々の手で逆手で握り、互いに異なる方向へ捩じることによって、内部に設けられた巻きバネのバネ力に抗して手首の筋力を強化することが可能となる。また、上記のように、互いに異なる方向へ捩じることによって、両方の当接部材が夫々の傾斜面に沿って捩じれ、双方の傾斜面による山が互いに当接する位置を変えながら移動し、双方の傾斜面による山を越した時点で互いのバネ力によって元の状態に復帰して、再び双方の傾斜面が合致した状態となるため、このような動作を繰り返して回動することにより、手首の筋力を強化することが可能であり、また、巻きバネに作用する力が制限されるため、内部の構造が壊れるおそれがない。
【００１４】
従って、例えばゴルフのクラブを振ったり野球のバッティングと同様に、棒状の部材を逆手で握った状態で互いに異なる方向へ捩じることによって手首の筋力を強化することが可能となり、ゴルフのクラブを振ったり野球のバッティングの実践さながらの使用法で筋力の鍛錬を手軽に行うことが可能となる。
【００１５】
さらに、本発明の手首の筋力増強具は、上記のように棒状の部材を逆手で握った動作だけではなく、順手で握った状態で互いに異なる方向へ捩じることによって手首の筋力を強化することができるため、ゴルフのクラブを振ったり野球のバッティング等の運動に必要な筋力を強化するのにも有益となる。
【００１６】
また、本発明の手首の筋力増強具の構成として、第１の握り棒と第２の握り棒とを直状に連結し、この握り棒の内部に互いに連通するように形成された空洞部にて連結棒の周りに１本の巻きバネを挿通すると共に、該巻きバネの各端部を夫々の握り棒の空洞部の内端に固定した構成とした場合、内部の弾性部材として１本の巻きバネを使用した簡単な構成となり、製造コストを低減することができる。また、左右夫々の手で握った状態で、内部の１本の巻きバネの弾性力に抗して第１の握り棒と第２の握り棒とを回動するようにしてあるため、使用時の動きは滑らかであり、ゴルフのクラブを振ったり野球のバッティング等に要求される左右の手首を捩じり込む等の筋力及び腕力を増強するのに有益となる。
【００１７】
また、本発明の手首の筋力増強具の構成として、第１の握り棒と第２の握り棒とを直状に突合せると共に、双方の握り棒の突合せ端部が嵌合形状によって互いに回動自在に連結され、双方の握り棒の内部に連続して形成された空洞部に１本の巻きバネが収納され、該巻きバネの両端部が前記夫々の握り棒の空洞部の内端に固定されて成る構成とした場合、上記構成のように連結棒を不要とし、１本の巻きバネを使用した簡単な構成となり、製造コストを低減することができる。この構成においても、左右夫々の手で握った状態で、１本の巻きバネの弾性力に抗して第１の握り棒と第２の握り棒とを回動するようにしてあるため、使用時の動きは滑らかであり、ゴルフのクラブを振ったり野球のバッティング等に要求される左右の手首を捩じり込む等の筋力及び腕力を増強するのに有益となる。
【００１８】
さらに、巻きバネの両端部の夫々が係止具を介して第１の握り棒と第２の握り棒とに固定されると共に、夫々の握り棒の端部に螺入されたボルトの押し圧によって巻きバネの張力を調整可能とした構成により、内部に収納された巻きバネの張力を簡単な構造で調整することが可能となる。
【発明を実施するための最良の形態】
【００１９】
以下、本発明の実施例について図面を参照しながら説明する。
【実施例１】
【００２０】
本発明による手首の筋力増強具１は、図１(ａ)、(ｂ)に示すように、第１の握り棒２と第２の握り棒３とを直状に連結すると共に夫々の握り棒２、３の軸芯に設けられた貫通孔４、４に長尺の連結棒５を挿通して該連結棒５の両端で両方の握り棒２、３を回動自在に保持している。また、両方の握り棒２、３の内部に互いに連通するように形成された空洞部６、６において、連結棒５の周りに一対の当接部材７、７と互いに巻き方向の異なる一対の巻きバネ８、８とが収納され、両方の当接部材７、７は夫々の当接部材７、７の片側に形成された傾斜面７ａ、７ａで当接されると共に、両方の当接部材７、７を挟んで夫々の当接部材７、７に夫々の一端（延長端部８ａ、８ａ）を固設した巻きバネ８、８の他端（延長端部８ｂ、８ｂ）を夫々の握り棒２、３の空洞部６、６の内端に固設した構成を有する。
【００２１】
以上の構成について、さらに詳細に述べる。図２は、上記の構成において、両方の握り棒２、３の連結状態を解除し、内部の構造を露呈した状態を示すものである。この図に示すように、第１の握り棒２と第２の握り棒３は共に同径の細長い円柱形を成し、これらの握り棒２、３を直状に連結することによって、図１(ｂ)に示すように１本の細長い棒状の円柱形を成すように構成することができる。
【００２２】
なお、いずれか一方の握り棒（図２においては第２の握り棒３）の連結側の端部の外周に段差状の環状凸部３ａを形成すると共に、他方の握り棒（図２においては第１の握り棒２）の連結側の端部の内周に上記の環状凸部３ａを嵌合する環状凹部２ａを形成することにより、双方の握り棒２、３を直状に連結した状態で、一方の握り棒３の環状凸部３ａと他方の握り棒２の環状凹部２ａとが隙間のない綺麗な合致状態となる。
【００２３】
また、図２において、第１の握り棒２と第２の握り棒３の内部には互いに連通する空洞部６、６が形成されると共に、双方の握り棒２、３の軸芯には貫通孔４、４が形成され、夫々の握り棒２、３の貫通孔４、４には長尺の連結棒５が挿通されている。
【００２４】
この連結棒５は、図１(ａ)に示すように、第１の握り棒２と第２の握り棒３とを直状に連結合致した状態で、双方の握り棒２、３の貫通孔４、４に挿通される。また、図１(ａ)又は図２において、連結棒５の両端付近に形成された係止用穴５ａ、５ａを外方に露出した状態とし、この連結棒５の両端に係止環９、９の貫通孔９ｂ、９ｂを嵌合して該係止環９、９に設けられた周穴９ａ、９ａに止めネジ１０、１０を螺入して係止することにより、第１の握り棒２と第２の握り棒３とを直状の連結状態に保持して、夫々の握り棒２、３を回動自在としている。
【００２５】
なお、上記のように連結棒５の両端に嵌合した係止環９、９を止めネジ１０、１０で係止する他の手段として、連結棒５の両端に設けられた係止用穴５ａ、５ａに割りピン（不図示）を挿着してもよいし、さらに他の方法で係止するようにしてもよい。
【００２６】
いずれにしても、図１(ａ)に示すように、第１の握り棒２と第２の握り棒３との軸芯に設けられた貫通孔４、４に連結棒５が貫通され、該連結棒５の両端が何らかの手段で係止されることによって、図１(ｂ)に示すように、双方の握り棒２、３は直状の連結状態を保った状態となり、夫々の握り棒２、３は回動自在に連結保持された状態となる。
【００２７】
さらに、上記のように第１の握り棒２と第２の握り棒３との内部に互いに連通状態で形成された空洞部６、６には、連結棒５の周りに一対の当接部材７、７と互いに巻き方向の異なる一対の巻きバネ８、８とが収納されている。
【００２８】
図２に示すように、夫々の当接部材７、７は同形状から成り、両方の握り棒２、３の空洞部６、６の内部で移動し得る円柱状の外形を有し、その片側端部を傾斜状に切り取ったような傾斜面７ａ、７ａを有する形状とされている。また、夫々の当接部材７、７の中心には連結棒５を摺動自在に挿通する貫通孔７ｂ、７ｂが形成されると共に、夫々の当接部材７、７の端面の周部付近には後述する巻きバネ８、８の延長端部８ａ、８ａを挿着する挿着穴７ｃ、７ｃが形成されている。
【００２９】
このような２個の当接部材７、７の傾斜面７ａ、７ａが対向するようにして、夫々の貫通孔７ｂ、７ｂに連結棒５を挿通し、さらにこれらの当接部材７、７を挟んで両側に配設した互いに巻き方向の異なる一対の巻きバネ８、８を連結棒５に挿通した状態にする。また、夫々の握り棒２、３の空洞部６、６の内端に設けられた挿通穴２ｂ、３ｂに夫々の巻きバネ８、８の他方の延長端部８ｂ、８ｂを挿着して、図１(ａ)に示す状態にする。
【００３０】
この状態で、上記のように双方の握り棒２、３を直状に連結し、連結棒５の両端を係止することによって、一対の握り棒２、３の全体長さを一定に保った状態に保持した構成となる。
【００３１】
また、上記の構成において、一方の巻きバネ８、即ち、本実施例においては、第１の握り棒２側の巻きバネ８の一端８ｂを第１の握り棒２の空洞部６の内端に設けられた挿通孔２ｂに挿着すると共に、該挿通孔２ｂに対して第２の握り棒２の外側端部からやや大径の挿通孔１１を形成して挿通孔２ｂに連通し、第２の握り棒２の外側端部から挿通孔１１を経て挿入したネジ１２を挿通孔２ｂの内周に螺合した状態とする。このため、第２の握り棒２の挿通孔２ｂの内周には、ネジ棒１２の雄ネジ形状に応じた雌ネジが形成されている。
【００３２】
このような構成により、第２の握り棒２の挿通孔１１に外側からドライバの先を挿入して、ネジ棒１２を回動して螺入又は緩めることにより、両方の巻きバネ８、８全体が圧縮又は伸張され、双方のバネ力を調整することが可能となる。
【００３３】
上記のように構成された手首の筋力増強具１を使用するには、図６に示すように、第１の握り棒２と第２の握り棒３とを左右夫々の手で逆手又は順手で握り（図６は逆手で握った状態を示す）、夫々の巻きバネ８、８のバネ力に抗して互いに異なる方向へ捩じるように回動することによって、手首を捩じったりする筋力を強化することが可能となる。
【００３４】
このような動作において、図５(ａ)に示すように、通常の状態として、夫々の当接部材７、７の片側ごとに形成された傾斜面７ａ、７ａで当接されていた状態から、上記のように第１の握り棒２と第２の握り棒３とを互いに異なる方向へ捩じることによって、当接部材７、７は、夫々の傾斜面７ａ、７ａに沿って捩じれ、双方の傾斜面７ａ、７ａによる山が互いに当接する位置を変えながら移動し、遂には双方の傾斜面７ａ、７ａによる山を越すと、互いのバネ力によって元の状態に復帰し、再び双方の傾斜面７ａ、７ａが合致した状態となる。このような動作を繰り返して回動することにより、手首の筋力を強化することが可能となる。また、上記の構成を有することによって、巻きバネ８、８に作用する力が制限されるため、内部の構造が壊れるおそれがない。
【００３５】
また、上記の動作において、いずれの方向に捩じっても、巻き方向の異なる一対の巻きバネ８、８の一方が縮小し、他方が伸張することによって、使用者は同様の抵抗感を感じながら操作することができるため、使用感に優れたものとなる。
【実施例２】
【００３６】
この実施例に係る手首の筋力増強具１は、図７(ａ)〜(ｃ)に示ように、第１の握り棒２と第２の握り棒３とを直状に連結すると共に夫々の握り棒２、３の軸芯に設けられた貫通孔４、４に長尺の連結棒５を挿通して該連結棒５の両端で両方の握り棒２、３を回動自在に保持し、該両方の握り棒２、３の内部に互いに連通するように形成された空洞部６、６にて連結棒５の周りに１本の巻きバネ１３を挿通すると共に、該巻きバネ１３の各端部を夫々の握り棒２、３の空洞部６、６の内端に固定したことにより、夫々の握り棒２、３を左右夫々の手で握って巻きバネ１３の弾性力に抗して互いに異なる方向へ交互に捩じることにより、左右の手首の筋力及び腕力を強化するようにしたことものである。
【００３７】
以上の構成についてさらに詳細に述べる。図８は、両方の握り棒２、３の連結状態を解除した分解状態を示すものである。この図に示すように、第１の握り棒２と第２の握り棒３は共に同径の細長い円柱形を成し、これらの握り棒２、３を直状に連結することによって、図７(ｃ)に示すように１本の細長い棒状の円柱形を成すように構成することができる。
【００３８】
上記の手首の筋力増強具１においては、いずれか一方の握り棒（図８においては第２の握り棒３）の連結側の端部の外周に段差状の環状凸部３ａを形成すると共に、他方の握り棒（図８においては第１の握り棒２）の連結側の端部の内周に上記の環状凸部３ａを嵌合する環状凹部２ａを形成することにより、双方の握り棒２、３を直状に連結した状態で、一方の握り棒３の環状凸部３ａと他方の握り棒２の環状凹部２ａとが隙間のない綺麗な合致状態となるようにしている。
【００３９】
また、図８において、第１の握り棒２と第２の握り棒３の内部には互いに連通する空洞部６、６が形成されると共に、双方の握り棒２、３の軸芯には貫通孔４、４が形成され、夫々の握り棒２、３の貫通孔４、４には長尺の連結棒５が挿通されている。
【００４０】
この連結棒５は、図７(ａ)に示すように、第１の握り棒２と第２の握り棒３とを直状に連結合致した状態で、双方の握り棒２、３の貫通孔４、４に挿通される。また、図７(ａ)において、連結棒５の両端付近に形成された係止用穴５ａ、５ａを外方に露出した状態とし、この連結棒５の両端に係止環９、９の貫通孔９ｂ、９ｂを嵌合して該係止環９、９に設けられた周穴９ａ、９ａに止めネジ１０、１０を螺入して係止することにより、第１の握り棒２と第２の握り棒３とを直状の連結状態に保持して、夫々の握り棒２、３を回動自在としている。
【００４１】
なお、上記のように連結棒５の両端に嵌合した係止環９、９を止めネジ１０、１０で係止する他の手段として、連結棒５の両端に設けられた係止用穴５ａ、５ａに割りピン（不図示）を挿着してもよいし、さらに他の方法で係止するようにしてもよい。
【００４２】
さらに、上記のように第１の握り棒２と第２の握り棒３との内部に互いに連通状態で形成された空洞部６、６には、連結棒５の周りに１本の巻きバネ１３が収納されている。この巻きバネ１３は両端に軸方向に延びたバネ端部１３ａ、１３ｂが形成され、一方のバネ端部１３ａを第１の握り棒２の空洞部６の奥側の内端に設けられた挿通孔２ｂに挿着すると共に、他方のバネ端部１３ｂを第２の握り棒２の空洞部６の奥側の内端に設けられた挿通孔２ｂに挿着し、この状態で上記のように第１の握り棒２と第２の握り棒３とを直状の連結状態に保持して、夫々の握り棒２、３を回動自在としている。
【００４３】
上記のように構成された手首の筋力増強具１を使用する方法は、実施例１と同様であり、図６に示すように、第１の握り棒２と第２の握り棒３とを左右夫々の手で逆手又は順手で握り（図６は逆手で握った状態を示す）、夫々の巻きバネ８、８のバネ力に抗して互いに異なる方向へ捩じるように回動することによって、手首を捩じったりする筋力を強化することが可能となる。
【００４４】
このような運動においては、いずれの方向に捩じっても、巻き方向の異なる巻きバネ１３が縮小したり伸張することによって、使用者は同様の抵抗感を感じながら操作することができる。また、このように第１の握り棒２と第２の握り棒３とを左右夫々の手で握って捩じる運動は、１本の巻きバネ１３を弾性力に抗して捩じる滑らかな動作となり、使用感のよい手首の筋力増強具を得ることができる。
【００４５】
さらに、本発明の手首の筋力増強具は、実施例１と同様に、上記のように棒状の部材を逆手で握った動作だけではなく、順手で握った状態で互いに異なる方向へ捩じることによって手首の筋力を強化することができるため、ゴルフのクラブを振ったり野球のバッティング等の運動に必要な筋力を強化するのにも有益となる。
【実施例３】
【００４６】
この実施例に係る手首の筋力増強具１は、図９(ａ)に示ように、第１の握り棒２２と第２の握り棒２３とを直状に突合せると共に、双方の握り棒２２、２３の突合せ端部が嵌合形状によって互いに回動自在に連結され、双方の握り棒２２、２３の内部に連続して形成された空洞部２２ａ、２３ａに１本の巻きバネ１４が収納され、該巻きバネ１４の両端部が夫々の握り棒２２、２３の空洞部２２ａ、２３ａの内端に固定されて成るものである。
【００４７】
以上の構成についてさらに詳細に述べる。図１０は、第１の握り棒２２と第２の握り棒２３との連結を解除した分解状態を示すものである。この図に示すように、第１の握り棒２２と第２の握り棒２３は共に同径の細長い円柱形を成し、これらの握り棒２２、２３を直状に連結することによって、図９(ｃ)に示すように１本の細長い棒状の円柱形が形成される。
【００４８】
また、図９において、第１の握り棒２２と第２の握り棒２３との内部には互いに連通する空洞部２２ａ、２３ａが形成されている。双方の握り棒２２、２３の突合せ端部は、例えば第１の握り棒２２の端部の内周側に形成された段差２２ｂと第２の握り棒２３の端部の外周側に形成された段差２３ｂとが互いに嵌合する形状を有し、これらの段部２２ｂ、２３ｂを嵌合することによって、双方の握り棒２２、２３の突合せ端部が互いに回動自在に結合される。また、第１の握り棒２２の段差２２ｂの外周には環状凹部２２ｃが形成され、一方、第２の握り棒２３の端部の２箇所に設けられたネジ孔２３ｃ、２３ｃにネジ１５、１５を螺入し、夫々のネジ１５を締め込んで上記の環状凹部２２ｃに係止することにより、上記のように回動自在に連結された双方の握り棒２２、２３の突合せ端部が離脱しない構造となる。
【００４９】
さらに、双方の握り棒２２、２３の内部の空洞部２２ａ、２３ａに長尺の１本の巻きバネ１４が収納されている。この巻きバネ１４の両端部には直状に延長された延長端部１４ａ、１４ａが形成され、夫々の延長端部１４ａ、１４ａを固定するために係止具１６、１６が設けられている。この係止具１６は、図９(ａ)または図１０に示すように、夫々の握り棒２３の空洞部２２ａ、２３ａに収納される外径を有する短尺の円筒形をなし、外周の軸方向に沿ってキー溝１６ａが形成されると共に、一端に巻きバネ１４の延長端部１４ａを挿着する挿通穴１６ｂが形成されている。
【００５０】
このような構成を有する各係止具１６、１６の挿通穴１６ｂ、１６ｂに巻きバネ１４の延長端部１４ａ、１４ａを挿着した状態で夫々の係止具１６、１６を第１の握り棒２２と第２の握り棒２３の各空洞部２２ａ、２３ａに挿入し、夫々の握り棒２３の外周に形成されたネジ穴２３ｄ、２３ｄにネジ１７、１７を螺入して、夫々のネジ１７を各係止具１６、１６のキー溝１６ａ、１６ａに係止した状態にする。
【００５１】
さらに、夫々の握り棒２２、２３の端部にて軸方向に貫通状態に形成されたネジ穴１８、１８に押圧ボルト１９、１９を螺入し、夫々の押圧ボルト１９、１９の先端が各係止具１６、１６を押し込む際の押し圧によって第１の握り棒２２と第２の握り棒３の内部に収納された巻きバネ１４の張力を調整可能としている。
【００５２】
なお、本実施例の構成において、押圧ボルト１９として全長が同径の六角穴付きボルト（図９(ｂ)参照）を使用し、またネジ１５、１７の頭部を埋め込み式にすることにより、図９(ｃ)に示すように、第１と第２の握り棒２２、２３は、外周及び両端部に突起が全く存在しない円筒形となり、外観的にも単純な外形を得ることが可能となる。
【００５３】
上記の構成により、本実施例の筋力増強具１において、いずれの方向に捩じっても、巻き方向の異なる巻きバネ１３が縮小したり伸張することによって、使用者は同様の滑らかな抵抗感を感じながら操作することができ、使用感のよい手首の筋力増強具を得ることができる。また、第１の握り棒２２と第２の握り棒２３とを左右夫々の手で逆手又は順手で握り、巻きバネ１４のバネ力に抗して互いに異なる方向へ捩じるように回動することにより、手首を捩じったりする筋力を強化することが可能となり、順手で握った状態で互いに異なる方向へ捩じることによって、ゴルフのクラブを振ったり野球のバッティング等の運動に必要な筋力を強化するのに有益となる。
【産業上の利用可能性】
【００５４】
本発明の手首の筋力増強具は、直状に連結された第１の握り棒と第２の握り棒とを左右夫々の手で握り、互いに異なる方向へ捩じることによって、内部に設けられた巻きバネのバネ力に抗して手首の筋力を強化することができるものであり、例えばゴルフのクラブを振ったり野球のバッティングと同様に棒状の部材を逆手、又は順手で握った状態で手首の筋力を強化することができる手首の筋力増強具として利用することが可能である。
【図面の簡単な説明】
【００５５】
【図１】(ａ)は本発明による手首の筋力増強具の内部構造を示す図であり、(ｂ)は外観図である。
【図２】本発明による手首の筋力増強具の内部構造を示す分解斜視図である。
【図３】本発明による手首の筋力増強具の組み立て後の外観を示す斜視図である。
【図４】本発明による手首の筋力増強具の分解図である。
【図５】(ａ)は本発明による手首の筋力増強具の内部構造を示す図であり、(ｂ)は捩じった状態の内部構造を示す図である。
【図６】本発明による手首の筋力増強具の使用状態を示す図である。
【図７】(ａ)は本発明の実施例２における手首の筋力増強具の内部構造を示す図であり、(ｂ)は外観図である。
【図８】本発明の実施例２における手首の筋力増強具の分解斜視図である。
【図９】(ａ)は本発明の実施例３における手首の筋力増強具の内部構造を示す図であり、(ｂ)は端面図であり、（c）は外観図である。
【図１０】本発明の実施例３における手首の筋力増強具の分解斜視図である。
【図１１】特許文献１の内部構造を示す断面図である。
【符号の説明】
【００５６】
１  筋力増強具
２  第１の握り棒
２ａ  環状凹部
２ｂ  挿通穴
３  第２の握り棒
３ａ  環状凸部
３ｂ  挿通穴
４  貫通孔
５  連結棒
５ａ  係止用穴
６  空洞部
７  当接部材
７ａ  傾斜面
７ｂ  貫通孔
７ｃ  挿着穴
８  巻きバネ
８ａ  延長端部
８ｂ  延長端部
９ａ  周穴
９ｂ  貫通孔
１０  止めネジ
１１  挿通孔
１２  ネジ
１３  巻きバネ
１３ａ、１３ｂ  バネ端部
１４  巻きバネ
１４ａ  延長端部
１５  ネジ
１６  係止具
１６ａ  キー溝
１６ｂ  挿通穴
１７  ネジ
１８  ネジ穴
１９  押圧ボルト
２２  第１の握り棒
２２ａ  空洞部
２２ｂ  段差
２２ｃ  環状凹部
２３  第２の握り棒
２３ａ  空洞部
２３ｂ  段差
２３ｃ  ネジ孔
２３ｄ  ネジ穴
【図１】
2007050228.tif 000003
【図２】
2007050228.tif 000004
【図３】
2007050228.tif 000005
【図４】
2007050228.tif 000006
【図５】
2007050228.tif 000007
【図６】
2007050228.tif 000008
【図７】
2007050228.tif 000009
【図８】
2007050228.tif 000010
【図９】
2007050228.tif 000011
【図１０】
2007050228.tif 000012
【図１１】
2007050228.tif 000013